(57)【要約】【課題】反転バネを基板に固定する固定シートと操作部材との間で、固定シートに別のシートを積層して粘着したことに起因する節度感の低下を抑えることができる押釦スイッチおよび押釦スイッチ作製用反転バネ付きシートの提供。【解決手段】円形ドーム状の反転部６および反転と復帰が可能となるよう反転部６を支持する円環状の支持部７を有し基板２上に配置された反転バネ５と、固定シート９および反転バネ５を挟んで基板２と対向し固定シート９に積層されて粘着された照光シート１０と、固定シート９および照光シート１０を挟んで反転バネ５に対向し、固定シート９および照光シート１０を介して反転部６を反転させる位置まで変位可能な操作部材１６とを備えている。固定シート９と照光シート１０の粘着層１２，１３が、固定シート９および照光シート１０に対する反転バネ５の支持部７の投影面を除く部分に設けられている。【選択図】図１
2008166172.tif 000002
【特許請求の範囲】
【請求項１】
基板と、
この基板に設けられた固定接点と、
断面形状がアーチ状に形成された反転部、および、反転と復元が可能となるように反転部を支持する支持部を有し、前記基板上に配置された導電性反転バネと、
この反転バネの前記反転部の凹曲面側に設けられ、前記反転部の反転および復元に伴い前記固定接点に対して接触および離反する可動接点と、
前記反転部の凸曲面側から前記反転バネを覆った状態で、前記反転バネと前記基板とに粘着された弾性変形可能な固定シートと、
前記固定シートおよび前記反転バネを挟んで前記基板と対向し、前記固定シートに積層されて粘着された弾性変形可能な照光シートと、
前記固定シートおよび前記照光シートを挟んで前記反転バネに対向し、前記固定シートおよび前記照光シートを介して前記反転部を反転させる位置まで変位可能な操作部材とを備え、
前記固定シートと前記照光シートとの間の粘着層が、前記固定シートおよび前記照光シートに対する前記反転バネの前記支持部の投影面を除く部分に設けられたことを特徴とする押釦スイッチ。
【請求項２】
請求項１記載の押釦スイッチの発明において、前記照光シートが、自発光可能な発光シートから構成されたことを特徴とする押釦スイッチ。
【請求項３】
請求項２記載の押釦スイッチの発明において、前記発光シートが電力を供給されて発光するＥＬシートから構成され、前記固定シートが導電性を有し接地されたことを特徴とする押釦スイッチ。
【請求項４】
請求項１記載の押釦スイッチの発明において、前記基板に発光素子が設けられ、前記照光シートが前記発光素子からの光を前記操作部材の方向に導く導光シートから構成されたことを特徴とする押釦スイッチ。
【請求項５】
請求項１記載の押釦スイッチの発明において、前記固定シートが、前記反転バネの前記反転部の凸曲面側と粘着されたシート本体と、このシート本体と前記基板との間に配置され、前記シート本体と前記基板とに粘着されたスペーサとから構成されたことを特徴とする押釦スイッチ。
【請求項６】
請求項１〜５の何れか１項に記載の押釦スイッチを作製するために用いられる押釦スイッチ作製用反転バネ付きシートであって、
前記反転バネと、前記固定シートと、前記照光シートとを備え、前記固定シートが前記反転バネの前記反転部の凸曲面側と前記照光シートとに粘着され、前記固定シートと前記照光シートとの間の粘着層が、前記固定シートおよび前記照光シートのそれぞれに対する前記反転バネの前記支持部の投影面を除く部分に設けられたことを特徴とする押釦スイッチ作製用反転バネ付きシート。
【請求項７】
請求項６記載の押釦スイッチ作製用反転バネ付きシートの発明において、前記反転バネが粘着された側の前記固定シートの面と前記反転バネとを覆った状態で、前記固定シートに剥離可能に粘着された剥離シートを備えたことを特徴とする押釦スイッチ作製用反転バネ付きシート。
【発明の詳細な説明】
【技術分野】
【０００１】
本発明は、携帯電話等の電機機具の操作盤に設けられ、反転バネの反転の復元によってオンまたはオフする押釦スイッチ、および、押釦スイッチ作製用反転バネ付きシートに関する。
【背景技術】
【０００２】
従来の押釦スイッチとしては特許文献１で開示された従来技術がある。この従来技術は、基板と、この基板に設けられた固定接点と、基板上に配置された導電性反転バネと、この反転バネに設けられ、反転バネの反転および復元に伴って固定接点に対し接触および離反する可動接点を備えている。
【０００３】
反転バネは、弾性変形可能な固定シートによって基板に固定されている。この固定シートは、反転部の凸曲面側から反転バネを覆った状態で、反転バネと基板とに粘着されている。
【０００４】
固定シートを挟んで反転バネと対向する位置には、操作部材が配置さている。この操作部材と固定シートとの間では、弾性シートが固定シートに積層されている。この弾性シートと操作部材との間には、照光シート（ＥＬシート）が、反転バネに近づく方向への操作部材の変位に伴って弾性変形するように配置されている。照光シートの弾性シート側の面には突起部が設けられている。この突起部は弾性シートに当接している。
【０００５】
前述の従来技術では、操作部材を押圧したりその押圧を解除したりしたときに、操作部材と反転バネとの間で照光シート、突起部、弾性シートおよび固定シート介して力が伝達され、反転バネの反転や復元に伴うクリック感触が操作部材を介して操作者に与えられる。
【０００６】
さらに、前述の従来技術では、照光シートにより押釦スイッチの照光を行うことができる。
【特許文献１】特開２００４−２５３２１７公報
【発明の開示】
【発明が解決しようとする課題】
【０００７】
前述の従来技術では、固定シートに弾性シートが積層されている。この弾性シートのように固定シートに積層されたシートは、その全面が粘着層を介して固定シートに粘着されている。そのため、反転バネの反転時には積層された固定シートと弾性シートとが粘着層によって一体的に動作し、反転バネの反転や復元に伴うクリック感触を吸収するため、操作者が感じるクリック感触を低下させる原因になる。
【０００８】
本発明は、前述した実状を考慮してなされたものであり、その目的は、反転バネを基板に固定する固定シートと操作部材との間で、固定シートに別のシートが積層されて粘着されたことに起因する節度感の低下を抑えることができる押釦スイッチおよび押釦スイッチ作製用反転バネ付きシートを提供することにある。
【課題を解決するための手段】
【０００９】
前述の目的を達成するために、本発明は次のように構成されている。
【００１０】
〔１〕本発明の押釦スイッチは、基板と、この基板に設けられた固定接点と、断面形状がアーチ状に形成された反転部、および、反転と復元が可能となるように反転部を支持する支持部を有し、前記基板上に配置された導電性反転バネと、この反転バネの前記反転部の凹曲面側に設けられ、前記反転部の反転および復元に伴い前記固定接点に対して接触および離反する可動接点と、前記反転部の凸曲面側から前記反転バネを覆った状態で、前記反転バネと前記基板とに粘着された弾性変形可能な固定シートと、前記固定シートおよび前記反転バネを挟んで前記基板と対向し、前記固定シートに積層されて粘着された弾性変形可能な照光シートと、前記固定シートおよび前記照光シートを挟んで前記反転バネに対向し、前記固定シートおよび前記照光シートを介して前記反転部を反転させる位置まで変位可能な操作部材とを備え、前記固定シートと前記照光シートとの間の粘着層が、前記固定シートおよび前記照光シートに対する前記反転バネの前記支持部の投影面を除く部分に設けられたことを特徴とする。
【００１１】
このように構成された本発明の押釦スイッチでは、照光シートが固定シートに積層されて粘着されているとともに、固定シートと照光シートとの間の粘着層が、固定シートおよび照光シートのそれぞれに対する反転バネの支持部の投影面を除く部分に設けられている。つまり、固定シートと照光シートとの間の粘着層が、反転バネの反転および復元を阻害しない位置にある。これにより、固定シートと操作部材との間で固定シートに別のシート（照光シート）が積層されて粘着されたことに起因する節度感の低下を抑えることができる。すなわち、前述の目的が達成される。
【００１２】
〔２〕本発明の押釦スイッチは、「〔１〕」に記載の押釦スイッチの発明において、前記照光シートが、自発光可能な発光シートから構成されたことを特徴とする。
【００１３】
このように構成された本発明の押釦スイッチでは、照光シートが自ら発光し所望の範囲の照光を行う。これにより、発光のための部品と導光のための部品を個別に備えるものよりも部品点数が少なく済む。
【００１４】
〔３〕本発明の押釦スイッチは、「〔２〕」に記載の押釦スイッチの発明において、前記発光シートが電力を供給されて発光するＥＬシートから構成され、前記固定シートが導電性を有し接地されたことを特徴とする。
【００１５】
このように構成された本発明の押釦スイッチは、ＥＬシートにより均一な照光を実現できる。また、固定シートが導電性を有し接地されているので、ＥＬシートが発するノイズに対するシールドとしての機能を固定シートにもたせることができ、シールドのための部品点数を削減できる。
【００１６】
〔４〕本発明の押釦スイッチは、「〔１〕」記載の押釦スイッチの発明において、前記基板に発光素子が設けられ、前記照光シートが前記発光素子からの光を前記操作部材の方向に導く導光シートから構成されたことを特徴とする。
【００１７】
〔５〕本発明の押釦スイッチは、「〔１〕」記載の押釦スイッチの発明において、前記固定シートが、前記反転バネの前記反転部の凸曲面側と粘着されたシート本体と、このシート本体と前記基板との間に配置され、前記シート本体と前記基板とに粘着されたスペーサとから構成されたことを特徴とする。
【００１８】
このように構成された本発明の押釦スイッチは、固定シートのスペーサによって、反転バネの支持部近傍における基板と固定シートとの間に隙間を形成できるので、固定シートによる反転バネの支持部の拘束が緩和され、良好なクリック感触を得ることができる。
【００１９】
〔６〕本発明の押釦スイッチ作製用反転バネ付きシートは、「〔１〕」記載の押釦スイッチを作製するために用いられる反転バネ付きシートであって、前記反転バネと、前記固定シートと、前記照光シートとを備え、前記固定シートが前記反転バネの前記反転部の凸曲面側と前記照光シートとに粘着され、前記固定シートと前記照光シートとの間の粘着層が、前記固定シートおよび前記照光シートのそれぞれに対する前記反転バネの前記支持部の投影面を除く部分に設けられたことを特徴とする。
【００２０】
このように構成された本発明の押釦スイッチ作製用反転バネ付きシートを用いれば、反転バネおよび照光シートを１つの部品として扱うことができる。これにより、「〔１〕」記載の押釦スイッチの作製作業の効率を向上させることができる。
【００２１】
〔７〕本発明の押釦スイッチ作製用反転バネ付きシートは、「〔６〕」記載の押釦スイッチ作製用反転バネ付きシートの発明において、前記反転バネが粘着された側の前記固定シートの面と前記反転バネとを覆った状態で、前記固定シートに剥離可能に粘着された剥離シートを備えたことを特徴とする。
【００２２】
このように構成された押釦スイッチ作製用反転バネ付きシートの本発明は、反転バネ付きシートの搬送時や保管時に、反転バネが粘着された側の固定シートの面と反転バネとを、剥離シートによって、保護することができる。
【発明の効果】
【００２３】
前述したように、本発明は、反転バネを基板に固定する固定シートと操作部材との間で、固定シートに別のシートが積層されて粘着されたことに起因する節度感の低下を抑えることができる。したがって、押釦スイッチの操作感触の向上に貢献できる。
【発明を実施するための最良の形態】
【００２４】
＜第１実施形態＞
本発明の押釦スイッチおよび押釦スイッチ作製用反転バネ付きシートの第１実施形態について説明する。
【００２５】
〔押釦スイッチについて〕
本発明の押釦スイッチの第１実施形態について図１〜図３を用いて説明する。図１は本発明の押釦スイッチの第１実施形態の断面図である。図２−１は図１に示した反転バネの拡大平面図、図２−２は図１に示した反転バネの拡大断面図である。図３は図１に示した第１実施形態が複数一体化されて設けられた操作盤の断面図である。
【００２６】
図１に示すように、本発明の押釦スイッチの第１実施形態である押釦スイッチ１は、基板２と、この基板２にプリント成形により設けられた固定接点、例えば円環状固定接点３、および、この円環状固定接点３が描く円の中央に位置した中央固定接点４と、断面形状がアーチ状に形成された反転部６、および、反転と復元が可能となるように反転部６を支持する支持部７を有し、基板２上に配置された導電性反転バネ５と、この反転バネ５の反転部６の凹曲面側に設けられ、反転部６の反転および復元に伴い中央固定接点４に対して接触および離反する可動接点８とを備えている。
【００２７】
反転バネ５の反転部６は例えば円形ドーム状に形成されている。反転バネ５の支持部７は、反転バネ５の周縁に形成された円環状の部分であり、反転バネ５の中心から外周側へ向かう方向において下り勾配となるように傾斜している（図３参照）。支持部７の傾斜の勾配は、反転部６の傾斜の勾配よりも大きくなっている。
【００２８】
可動接点８は、反転バネ５の反転部６の頂部に、絞り加工により複数設けられていて、反転部６の頂部の凹曲面から中央固定接点４に向かって突出している。図では可動接点８が２つ示されている。
【００２９】
押釦スイッチ１は、反転バネ５の反転部６の凸曲面側から反転バネ５を覆った状態で、反転バネ５と基板２とに粘着された弾性変形可能な合成樹脂製の固定シート９を備えている。この固定シート９によって、反転バネ５が定位置に、すなわち可動接点８が中央固定接点４と所定の間隔をあけて対向し、支持部７が円環状固定接点３に常時接触した状態となる位置に、固定されている。
【００３０】
押釦スイッチ１は、固定シート９および反転バネ５を挟んで基板２と対向し固定シート９に積層されて粘着された弾性変形可能な照光シート１０を備えている。この照光シート１０は、自ら発光可能な発光シート、例えば電力を供給されて発光するＥＬシートから構成されている。
【００３１】
特に押釦スイッチ１では、固定シート９と照光シート１０との間の粘着層１２，１３は、固定シート９および照光シート１０に対する反転バネ５の支持部７の投影面を除く部分に設けられている。
【００３２】
図１における１４は、押釦スイッチ１の外郭を形成するケースの一部であって操作面を形成する板部である。この板部１４は、光透過性合成樹脂を成形したものであり、照光シート１０、固定シート９および反転バネ５を挟んで基板２に対向している。この板部１４には丸孔１５が設けられていて、この丸孔１５に操作部材１６が基板２側から挿入されている。
【００３３】
押釦スイッチ１は、押圧操作される光透過性合成樹脂製の操作部材１６を備えている。この操作部材１６は、固定シート９および照光シート１０を挟んで反転バネ５に対向し、丸孔１５に基板２側から挿入されてケースの外側に突出した操作部材本体１７と、この操作部材本体１７の側面から操作部材本体１７の側方に突出したツバ部１８と、操作部材本体１７から突起して照光シート１０に接し、照光シート１０および固定シート９を挟んで反転バネ５の頂部に対向した突起部１９とを備えている。つまり、操作部材１６は、ツバ部１８が丸孔１５の縁に引っ掛かる位置から、固定シート９および照光シート１０を介して反転バネ５の反転部６を反転させる位置まで変位可能に支持されている。
【００３４】
押釦スイッチ１は、電気製品の操作盤、例えば携帯電話の操作盤２０に複数設けられる。複数の押釦スイッチ１は、例えば図３に示すように一体化される。つまり、複数の押釦スイッチ１の基板２、固定シート９、照光シート１０および板部１４のそれぞれが単一の部材で構成され、操作部材１６、反転バネ５、円環状固定接点３および中央固定接点４のそれぞれが別個の部材で構成される。なお、図３における２１は、基板２に設けられた電力供給用回路と照光シート１０とを導通させる導通部である。
【００３５】
押釦スイッチ１は、次のように動作する。
【００３６】
操作者が操作部材本体１７を、この操作部材本体１７から基板２へ向かう方向に押圧すると、操作部材本体１７に与えられた押圧力が突起部１９、照光シート１０および固定シート９を介して反転バネ５の反転部６に伝達される。その押圧力が照光シート１０、固定シート９および反転部６が発揮する弾性力よりも大きい場合、支持部７が撓みながら反転部６の頂部が座屈反転する。これにより、可動接点８が中央固定接点４に接触して、中央固定接点４と円環状固定接点３が反転バネ５を介して導通する。つまり、押釦スイッチ１がオンする。
【００３７】
また、反転バネ５の反転部６が反転したときにクリック感触が生起され、固定シート９、照光シート１０および突起部１９を介して操作部材本体１７に伝達される。
【００３８】
操作者が操作部材本体１７に与えていた押圧力を除去すると、反転バネ５の反転部６が復元する。これに伴い可動接点８が中央固定接点４から離れ、押釦スイッチ１がオフする。反転部６が復元するときのクリック感触も、固定シート９、照光シート１０および突起部１９を介して操作部材本体１７に伝達される。
【００３９】
押釦スイッチ１によれば次の効果を得られる。
【００４０】
押釦スイッチ１では、照光シート１０が固定シート９に積層されて粘着されているとともに、固定シート９と照光シート１０との間の粘着層１２，１３が、固定シート９および照光シート１０のそれぞれに対する反転バネ５の支持部７の投影面を除く部分に設けられている。つまり、固定シート９と照光シート１０との間の粘着層１２，１３が、反転バネ５の支持部７の撓みを拘束することがなく、反転部６の反転および復元を阻害しない位置にある。これにより、固定シート９に照光シート１０が積層されて粘着されたことに起因する節度感の低下を抑えることができる。したがって、押釦スイッチの操作感触の向上に貢献できる。
【００４１】
押釦スイッチ１では、照光シート１０がＥＬシートから構成されている、つまり、照光シート１０が自ら発光し操作ボタンの表示部や所望の範囲の照光を行う。これにより、発光のための部品と導光のための部品を個別に備えるものよりも部品点数が少なく済む。
【００４２】
〔反転バネ付きシートについて〕
本発明の押釦スイッチ作製用反転バネ付きシート（以下、単に「反転バネ付きシート」という）の第１実施形態について図４を用いて説明する。図４は図３に示した操作盤を作製するためのシート状部品の断面図である。
【００４３】
反転バネ付きシートの第１実施形態は反転バネ付きシート２２であり、複数が一体化されて前述の操作盤２０を作製するために用いられるシート状部品２３となっている。
【００４４】
反転バネ付きシート２２は、反転バネ５と、照光シート１０と、固定シート９とを備えている。固定シート９は、反転バネ５の反転部６の凸曲面側と照光シート１０とに粘着されている。固定シート９と照光シート１０との間の粘着層１２，１３が、固定シート９および照光シート１０のそれぞれに対する反転バネ５の支持部７の投影面を除く部分に設けられている。
【００４５】
反転バネ付きシート２２は、さらに、反転バネ５が粘着された側の固定シート９の面と反転バネ５とを覆った状態で、固定シート９に剥離可能に粘着された剥離シート２４を備えている。
【００４６】
シート状部品２３は、前述の操作盤２０に対応するように、複数の反転バネ付きシート２２の固定シート９、照光シート１０および剥離シート２４のそれぞれが単一の部材で構成されている。
【００４７】
反転バネ付きシート２２によれば次の効果を得られる。
【００４８】
反転バネ付きシート２２を用いれば、反転バネ５、固定シート９および照光シート１０を１部品として扱うことができるので、押釦スイッチ１の作製作業の効率の向上に貢献できる。
【００４９】
反転バネ付きシート２２は、剥離シート２４を備えているので、この剥離シート２４によって、搬送時や保管時に、反転バネ５が接着された固定シート９の面と反転バネ５とを保護することができる。
【００５０】
＜第２実施形態＞
本発明の押釦スイッチの第２実施形態について図５，図６を用いて説明する。図５は本発明の押釦スイッチの第２実施形態の断面図、図６は図５に示した第２実施形態が複数一体化されて設けられた操作盤の断面図である。図５，６に示したもののうち、図１，３に示したものと同等のものに対しては、図１，３に付した符号と同じ符号を付してある。
【００５１】
図５に示すように、本発明の押釦スイッチの第２実施形態である押釦スイッチ３０は、押釦スイッチ１（第１実施形態）における固定シート９の替わりに、固定シート３１を備えている。この固定シート３１は、反転バネ５の反転部６の凸曲面側と粘着された合成樹脂製のシート本体３２と、このシート本体３２と基板２との間に配置され、シート本体３２と基板２とに粘着された合成樹脂製のスペーサ３３とから構成されている。シート本体３２とスペーサ３３は一体に成形されていてもよい。
【００５２】
このように構成された押釦スイッチ３０は、固定シート３１のスペーサ３３によって、反転バネ５の縁部近傍における基板２と固定シート３１との間に隙間を形成できるので、固定シート３１による反転バネ５の支持部７の拘束が緩和され、良好なクリック感触を得ることができる。
【００５３】
なお、図６に示すように、押釦スイッチ３０も、押釦スイッチ１と同様にして電気製品の操作盤、例えば携帯電話の操作盤２０に複数設けられる。この場合も、複数の押釦スイッチ３０の基板２、固定シート３１、照光シート１０および板部１４のそれぞれが単一の部材で構成され、操作部材１６、反転バネ５、円環状固定接点３および中央固定接点４のそれぞれが別個の部材で構成される。
【００５４】
押釦スイッチ３０を作製するために用いられる反転バネ付きシートは、図示していないが、反転バネ５と、固定シート３１と、照光シート１０とを備えている。固定シート３１のシート本体３２は、反転バネ５の反転部６の凸曲面側と照光シート１０とに粘着されている。固定シート３１のシート本体３２と照光シート１０との間の粘着層１２，１３が、固定シート３１のシート本体３２および照光シート１０のそれぞれに対する反転バネ５の支持部７の投影面を除く部分に設けられている。
【００５５】
反転バネ付きシートは、さらに、反転バネ５が粘着された側の固定シート３１のシート本体３２の面と反転バネ５とを覆った状態で、固定シート３１のスペーサ３３に剥離可能に粘着された剥離シート２４を備えている（図示していない）。
【００５６】
＜第３実施形態＞
本発明の押釦スイッチの第３実施形態について図７，図８を用いて説明する。図７は本発明の押釦スイッチの第３実施形態の断面図、図８は図７に示した第３実施形態が複数一体化されて設けられた操作盤の断面図である。図７，８に示したもののうち、図５，６に示したものと同等のものに対しては、図５，６に付した符号と同じ符号を付してある。
【００５７】
図７に示すように、本発明の押釦スイッチの第３実施形態である押釦スイッチ４０は、押釦スイッチ３０（第２実施形態）の構成に粘着層４１を加えたものである。この粘着層４１は、操作部材１６の突起部１９と反転バネ５の反転部６の頂部との間で、固定シート３１と照光シート１０とを粘着している。
【００５８】
このように構成された押釦スイッチ４０は、操作部材１６の突起部１９と反転バネ５の反転部６との間に位置した照光シート１０の部分が、粘着層４１によって固定シート３１に固定されているので、操作部材本体１７と反転部６の頂部との間における力の伝達の確実性を向上させることができる。
【００５９】
なお、図８に示すように、押釦スイッチ４０も、押釦スイッチ３０と同様にして電気製品の操作盤、例えば携帯電話の操作盤２０に複数設けられる。この場合も、複数の押釦スイッチ４０の基板２、固定シート３１、照光シート１０および板部１４のそれぞれが単一の部材で構成され、操作部材１６、反転バネ５、円環状固定接点３および中央固定接点４のそれぞれが別個の部材で構成される。
【００６０】
押釦スイッチ４０を作製するために用いられる反転バネ付きシートは、図示していないが、反転バネ５と、固定シート３１と、照光シート１０とを備えている。固定シート３１のシート本体３２は、反転バネ５の反転部６の凸曲面側と照光シート１０とに粘着されている。固定シート３１のシート本体３２と照光シート１０との間の粘着層１２，１３，４１が、固定シート３１のシート本体３２および照光シート１０のそれぞれに対する反転バネ５の支持部７の投影面を除く部分に設けられている。
【００６１】
反転バネ付きシートは、さらに、反転バネ５が粘着された側の固定シート３１のシート本体３２の面と反転バネ５とを覆った状態で、固定シート３１のスペーサ３３に剥離可能に粘着された剥離シート２４を備えている（図示していない）。
【００６２】
＜第４実施形態＞
本発明の押釦スイッチの第４実施形態について図９，図１０を用いて説明する。図９は本発明の押釦スイッチの第４実施形態の断面図、図１０は図９に示した第４実施形態が複数一体化されて設けられた操作盤の断面図である。図９，１０に示したもののうち、図５，６に示したものと同等のものに対しては、図５，６に付した符号と同じ符号を付してある。
【００６３】
図９に示すように、本発明の押釦スイッチの第４実施形態である押釦スイッチ５０は、押釦スイッチ３０（第２実施形態）における固定シート３１の替わりに、固定シート５１を備えている。この固定シート５１では、そのシート本体５２が導電性を有し接地されている（図１０参照）。
【００６４】
このように構成された押釦スイッチ５０は、固定シート５１のシート本体５２が導電性を有し接地されているので、照光シート１０（ＥＬシート）が発するノイズに対するシールドとしての機能を固定シート５１にもたせることができ、シールドのための部品点数を削減できる。
【００６５】
なお、図１０に示すように、押釦スイッチ５０も、押釦スイッチ３０と同様にして電気製品の操作盤、例えば携帯電話の操作盤２０に複数設けられる。この場合も、複数の押釦スイッチ５０の基板２、固定シート５１、照光シート１０および板部１４のそれぞれが単一の部材で構成され、操作部材１６、反転バネ５、円環状固定接点３および中央固定接点４のそれぞれが別個の部材で構成される。なお、図１０における５３は、固定シート５１のシート本体５２と、基板２に設けられた接地回路とを導通させる導通部である。
【００６６】
押釦スイッチ５０を作製するために用いられる反転バネ付きシートは、図示していないが、反転バネ５と、固定シート５１と、照光シート１０とを備えている。固定シート５１のシート本体５２は、反転バネ５の反転部６の凸曲面側と照光シート１０とに粘着されている。固定シート５１のシート本体５２と照光シート１０との間の粘着層１２，１３，４１が、固定シート５１のシート本体５２および照光シート１０のそれぞれに対する反転バネ５の支持部７の投影面を除く部分に設けられている。
【００６７】
反転バネ付きシートは、さらに、反転バネ５が粘着された側の固定シート５１のシート本体５２の面と反転バネ５とを覆った状態で、固定シート５１のスペーサ３３に剥離可能に粘着された剥離シート２４を備えている。
【００６８】
＜第５実施形態＞
本発明の押釦スイッチの第５実施形態について図１１，図１２を用いて説明する。図１１は本発明の押釦スイッチの第５実施形態の断面図、図１２は図１１に示した第５実施形態が複数一体化されて設けられた操作盤の断面図である。図１１，１２に示したもののうち、図５，６に示したものと同等のものに対しては、図５，６に付した符号と同じ符号を付してある。
【００６９】
図１１に示すように、本発明の押釦スイッチの第５実施形態である押釦スイッチ６０は、押釦スイッチ３０（第２実施形態）における照光シート１０（ＥＬシート）の替わりに、基板２に設けられた発光素子６１（例えばＬＥＤ）と、この発光素子６１からの光を操作部材１６や板部１４に導く弾性変形可能な導光シート６２とを備えている。
【００７０】
図１２に示すように、押釦スイッチ６０も、押釦スイッチ３０と同様にして電気製品の操作盤、例えば携帯電話の操作盤２０に複数設けられる。この場合も、複数の押釦スイッチ６０の基板２、固定シート３１、照光シート６２および板部１４のそれぞれが一体の部材で構成され、操作部材１６、反転バネ５、円環状固定接点３および中央固定接点４のそれぞれが別個の部材で構成される。
【００７１】
押釦スイッチ６０を作製するための反転バネ付きシートは、図示していないが、照光シート６２と、固定シート３１と、反転バネ５とを備えている。固定シート３１のシート本体３２は、反転バネ５の反転部６の凸曲面側と照光シート６２とに粘着されている。固定シート３１のシート本体３２と照光シート６２との間の粘着層１２，１３，１４が、固定シート３１のシート本体３２および照光シート６２のそれぞれに対する反転バネ５の支持部７の投影面を除く部分に設けられている。また、反転バネ５が粘着された側の固定シート３１のシート本体３２の面と反転バネ５とを覆った状態で、固定シート３１のスペーサ３３に剥離可能に粘着された剥離シート２４を備えている。
【００７２】
なお、上記各実施形態の説明においては、反転バネ５の反転部６を円形ドーム状に形成し、支持部７を反転バネ５の周縁全周に円環状に形成したもので説明したが、このようなものに限らず、例えば支持部７の一部を切り欠いて細長状に形成したり、反転部６の三方から脚片を張出させて支持部７を形成したりしてもよい。
【図面の簡単な説明】
【００７３】
【図１】本発明の押釦スイッチの第１実施形態の断面図である。
【図２−１】図１に示した反転バネの拡大平面図である。
【図２−２】図１に示した反転バネの拡大断面図である。
【図３】図１に示した第１実施形態が複数一体化されて設けられた操作盤の断面図である。
【図４】図３に示した操作盤を作製するためのシート状部品の断面図である。
【図５】本発明の押釦スイッチの第２実施形態の断面図である。
【図６】図５に示した第２実施形態が複数一体化されて設けられた操作盤の断面図である。
【図７】本発明の押釦スイッチの第３実施形態の断面図である。
【図８】図７に示した第３実施形態が複数一体化されて設けられた操作盤の断面図である。
【図９】本発明の押釦スイッチの第４実施形態の断面図である。
【図１０】図９に示した第４実施形態が複数一体化されて設けられた操作盤の断面図である。
【図１１】本発明の押釦スイッチの第５実施形態の断面図である。
【図１２】図１１に示した第５実施形態が複数一体化されて設けられた操作盤の断面図である。
【符号の説明】
【００７４】
１  押釦スイッチ
２  基板
３  円環状固定接点
４  中央固定接点
５  反転バネ
６  反転部
７  支持部
８  可動接点
９  固定シート
１０  照光シート（ＥＬシート）
１２，１３  粘着層
１４  板部
１５  丸孔
１６  操作部材
１７  操作部材本体
１８  ツバ部
１９  突起部
２０  操作盤
２１  導通部
２２  反転バネ付きシート
２３  シート状部品
２４  剥離シート
３０  押釦スイッチ
３１  固定シート
３２  シート本体
３３  スペーサ
４０  押釦スイッチ
４１  粘着層
５０  押釦スイッチ
５１  固定シート
５２  シート本体（導電性シート）
５３  導通部
６０  押釦スイッチ
６１  発光素子
６２  照光シート（導光シート）
【図１】
2008166172.tif 000003
【図２−１】
2008166172.tif 000004
【図２−２】
2008166172.tif 000005
【図３】
2008166172.tif 000006
【図４】
2008166172.tif 000007
【図５】
2008166172.tif 000008
【図６】
2008166172.tif 000009
【図７】
2008166172.tif 000010
【図８】
2008166172.tif 000011
【図９】
2008166172.tif 000012
【図１０】
2008166172.tif 000013
【図１１】
2008166172.tif 000014
【図１２】
2008166172.tif 000015